【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
複数の図柄を変動表示可能な複数のリールと、
遊技者の操作により前記リールの図柄の変動表示を開始させるためのスタートスイッチと、
前記複数のリールそれぞれに対応して設けられ、前記複数のリールの図柄の変動表示の開始後、遊技者の操作により前記リールの図柄の変動表示を個別に停止させるための複数のストップスイッチと、
遊技の進行及び演出を制御する制御装置と、
種々の情報を外部に向かって報知する報知手段とを備え、
前記制御装置は、複数の役のいずれかに当選か又はハズレかの役抽選を行う役抽選手段と、前記役抽選の結果に基づいた当選の状態を前記報知手段を介して報知させるための当選状態報知制御手段とを有し、
前記役抽選の結果及び前記ストップスイッチの停止操作に基づいて前記リールの回転を停止させ、当選した役に係る図柄の組合せが有効なライン（以下、「有効ライン」とする。）上に揃ったか否かの判定を行い、その判定の結果に応じて所定の利益を付与するようにした遊技機であって、
遊技には、通常遊技と、前記通常遊技よりも多くの利益を付与可能な特別遊技とを備え、
前記役には、当選した後、当選した役に係る図柄の組み合わせを前記有効ライン上に停止させることができなかった場合に、当該図柄の組み合わせを前記有効ライン上に停止させるまで当選している状態を次以降の遊技に持ち越すことができるようにした持ち越し役を備え、
前記持ち越し役として、前記特別遊技へ移行させるための特別役が設けられ、
前記役抽選の当選領域には、
前記特別役の当選と前記持ち越し役でない所定役の当選とが同一遊技で同時に成立可能な当選領域と、前記持ち越し役でない所定役は当選するが、前記特別役が当選しない当選領域が含まれ、
前記制御装置は、前記持ち越し役でない所定役の当選時に前記特別役の当選の有無にかかわらず複数回の遊技に渡る演出（以下、「連続演出」とする。）を実施可能に設けられ、
さらに、前記制御装置は、前記持ち越し役でない所定役の当選に基づいて、前記特別役の当選の有無にかかわらず、前記報知手段の少なくとも一部を、予め定められた時間において、所定時間の間隔で点滅可能に設けられ、
前記当選状態報知制御手段は、
前記報知手段を介して前記持ち越し役でない所定役が当選していることを全ての前記リールの停止操作後に報知可能とし、
前記連続演出が行われる複数回の遊技の最終回において、前記特別役が当選している場合又は前記特別役の当選を持ち越している場合、前記報知手段を介して特別役が当選している状態であることを報知することを特徴とする遊技機。
【手続補正２】
【補正対象書類名】明細書
【補正対象項目名】０００３
【補正方法】変更
【補正の内容】
【０００３】
役抽選手段の役抽選の結果、遊技者に大きな利益を付与可能なボーナス遊技へ移行するためのボーナス移行役（特別役、いわゆる大当たり）に当選する発明があった（特許文献１。）。
【手続補正３】
【補正対象書類名】明細書
【補正対象項目名】０００４
【補正方法】変更
【補正の内容】
【０００４】
【特許文献１】特開２００６−１４１５６０号公報
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明は、遊技者に期待感を付与することができ、遊技性を向上させることが可能な遊技機を提供することを目的とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明は、複数の図柄61を変動表示可能な複数のリール62と、遊技者の操作により前記リール62の図柄61の変動表示を開始させるためのスタートスイッチ40と、前記複数のリール62それぞれに対応して設けられ、前記複数のリール62の図柄61の変動表示の開始後、遊技者の操作により前記リール62の図柄61の変動表示を個別に停止させるための複数のストップスイッチ50と、遊技の進行及び演出を制御する制御装置100と、種々の情報を外部に向かって報知する報知手段70とを備え、前記制御装置100は、複数の役のいずれかに当選か又はハズレかの役抽選を行う役抽選手段130と、前記役抽選の結果に基づいた当選の状態を前記報知手段70を介して報知させるための当選状態報知制御手段470とを有し、前記役抽選の結果及び前記ストップスイッチ50の停止操作に基づいて前記リール62の回転を停止させ、当選した役に係る図柄61の組合せが有効なライン（以下、「有効ライン86」とする。）上に揃ったか否かの判定を行い、その判定の結果に応じて所定の利益を付与するようにした遊技機10であって、遊技には、通常遊技と、前記通常遊技よりも多くの利益を付与可能な特別遊技とを備え、前記役には、当選した後、当選した役に係る図柄61の組み合わせを前記有効ライン86上に停止させることができなかった場合に、当該図柄61の組み合わせを前記有効ライン86上に停止させるまで当選している状態を次以降の遊技に持ち越すことができるようにした持ち越し役を備え、前記持ち越し役として、前記特別遊技へ移行させるための特別役（具体的には、例えばボーナス移行役）が設けられ、前記役抽選の当選領域には、前記特別役の当選と前記持ち越し役でない所定役の当選とが同一遊技で同時に成立可能な当選領域と、前記持ち越し役でない所定役は当選するが、前記特別役が当選しない当選領域が含まれ、前記制御装置100は、前記持ち越し役でない所定役の当選時に前記特別役の当選の有無にかかわらず複数回の遊技に渡る演出（以下、「連続演出」とする。）を実施可能に設けられ、さらに、前記制御装置100は、前記持ち越し役でない所定役の当選に基づいて、前記特別役の当選の有無にかかわらず、前記報知手段70の少なくとも一部を、予め定められた時間において、所定時間の間隔で点滅可能に設けられ、前記当選状態報知制御手段470は、前記報知手段70を介して前記持ち越し役でない所定役が当選していることを全ての前記リールの停止操作後に報知可能とし、前記連続演出が行われる複数回の遊技の最終回において、前記特別役が当選している場合又は前記特別役の当選を持ち越している場合、前記報知手段70を介して特別役が当選している状態であることを報知することを特徴とする。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】変更
【補正の内容】
【００１９】
本発明は、以上のように構成されているので、遊技者に期待感を付与することができ、遊技性を向上させることが可能な遊技機を提供することができる。
【手続補正１９】
【補正対象書類名】明細書
【補正対象項目名】００２０
【補正方法】削除
【補正の内容】